(57)【特許請求の範囲】
【請求項１】
前面基板の背面側に行方向に延び列方向に並設されてそれぞれ表示ラインを形成する複数の行電極対とこの行電極対を被覆する誘電体層とが形成され、各行電極がそれぞれ対ごとに対向する透明電極とこの透明電極の基部側に接続された金属電極を備えているプラズマディスプレイパネルにおいて、
前記誘電体層の前面基板と反対側の面の前記金属電極に対向する部分に、誘電体層上に積層されて焼成された低融点ガラス材によって、誘電体層から前面基板と反対方向に突出する嵩上げ誘電体層が形成され、この嵩上げ誘電体層の前記透明電極が延びる側の壁面の誘電体層に対する傾斜角度が、４５度以上に設定されているとともに、嵩上げ誘電体層の金属電極に対向する部分から張り出して透明電極に対向する部分の列方向の幅が、１０ないし３０μｍに設定されていることを特徴とするプラズマディスプレイパネル。
【請求項２】
前記嵩上げ誘電体層の誘電体層から突出する長さが２０ないし１００μmに設定されている請求項１に記載のプラズマディスプレイパネル。
【請求項３】
前面基板の背面側に列方向に延びる透明電極とその基部側に接続された行方向に延びる金属電極を有する行電極対を形成し、
前記前面基板の背面側に行電極対を被覆する誘電体層を形成し、
この誘電体層の背面側にガラス粉末を含有した感光性樹脂フィルムを積層し、
この感光性樹脂フィルムに所定のパターンを有するマスクを介して露光および現像を行った後、感光性樹脂フィルムを焼成することによって、前記行電極の各金属電極に対向する誘電体層の背面上に、前面基板と反対側に突出するとともに、透明電極が延びる側の壁面の誘電体層に対する傾斜角度が４５度以上に設定され、金属電極に対向する部分から張り出して透明電極に対向する部分の列方向の幅が１０ないし３０μｍに設定された嵩上げ誘電体層を形成することを特徴とするプラズマディスプレイパネルの製造方法。
【発明の詳細な説明】
【０００１】
【発明の属する技術分野】
この発明は、プラズマディスプレイパネルのパネル構造およびその製造方法に関する。
【０００２】
【発明が解決しようとする課題】
近年、大型で薄型のカラー画面表示装置として面放電方式交流型プラズマディスプレイパネルが注目を集めており、その普及が図られている。
【０００３】
図４はこの面放電方式交流型プラズマディスプレイパネルの従来のセル構造を模式的に示す平面図であり、図５は図４のＶ−Ｖ線における断面図、図６は図４のＷ１−Ｗ１線における断面図，図７は図４のＷ２−Ｗ２線における断面図である。
【０００４】
この図４ないし７において、プラズマディスプレイパネルの表示面となる前面ガラス基板１側には、その裏面に、複数の行電極対（Ｘ，Ｙ）と、この行電極対（Ｘ，Ｙ）を被覆する誘電体層２と、この誘電体層２の裏面を被覆するＭｇＯからなる保護層３が順に設けられている。
【０００５】
各行電極Ｘ，Ｙは、それぞれ、幅の広いＩＴＯ等の透明導電膜からなる透明電極Ｘａ，Ｙａと、その導電性を補う幅の狭い金属膜からなるバス電極Ｘｂ，Ｙｂとから構成されている。
【０００６】
そして、行電極ＸとＹとが放電ギャップｇを挟んで対向するように列方向に交互に配置されており、各行電極対（Ｘ，Ｙ）によって、マトリクス表示の１表示ライン（行）Ｌが構成される。
【０００７】
一方、希ガスが封入された放電空間Ｓを介して前面ガラス基板１に対向する背面ガラス基板４には、行電極対Ｘ，Ｙと直交する方向に延びるように配列された複数の列電極Ｄと、この列電極Ｄ間にそれぞれ平行に延びるように形成された帯状の隔壁５と、この隔壁５の側面と列電極Ｄを被覆するそれぞれＲ，Ｇ，Ｂに色分けされた蛍光体層６とが設けられている。
【０００８】
そして、各表示ラインＬにおいて、列電極Ｄと行電極対（Ｘ，Ｙ）が交差し、隔壁５によって放電空間Ｓが区画されることにより形成された単位発光領域に、放電セルＣがそれぞれ画定されている。
【０００９】
このプラズマディスプレイパネルには、図５および６に示されるように、誘電体層２の背面側のそれぞれ背中合わせに平行に延びるバス電極ＸｂとＹｂに対向する部分に、バス電極Ｘｂ，Ｙｂに沿って平行に延びる嵩上げ誘電体層２Ａが形成されている。
【００１０】
この嵩上げ誘電体層２Ａは、誘電体層２の背面から放電空間Ｓ内に突出するように形成されているものであり、この放電空間Ｓ内において、互いに対向する透明電極ＸａとＹａの間に発生する面放電ｄがバス電極ＸｂおよびＹｂの側に広がるのを抑制することによって、隣接する放電セルＣ間において誤放電が発生するのを防止するように機能するものである。
【００１１】
この嵩上げ誘電体層２Ａは、前面ガラス基板１に所定の厚さで塗布されて乾燥された低融点ガラスペーストを焼成して形成された誘電体層２上に、さらに、低融点ガラスペーストを所定の厚さでスクリーン印刷して乾燥させ、その後に、これを焼成することによって形成される。
【００１２】
上記の面放電方式交流型プラズマディスプレイパネルにおける画像の表示は、以下のようにして行われる。
【００１３】
すなわち、先ず、アドレス操作により、各放電セルＣにおいて行電極対（Ｘ，Ｙ）と列電極Ｄとの間で選択的に放電（対向放電）が行われ、点灯セル（誘電体層２に壁電荷が形成された放電セルＣ）と消灯セル（誘電体層２に壁電荷が形成されなかった放電セルＣ）とが、表示する画像に対応してパネル上に分布される。
【００１４】
そして、このアドレス操作の後、全表示ラインＬにおいて一斉に、行電極対（Ｘ，Ｙ）に対して交互に放電維持パルスが印加され、点灯セルにおいて、この放電維持パルスが印加される毎に、この点灯セルを挟むように位置する隣接する一対の嵩上げ誘電体層２Ａの間の空間内において面放電が発生されて、この面放電により発生する紫外線により、放電空間Ｓ内のＲ，Ｇ，Ｂの蛍光体層６がそれぞれ励起されて発光することにより、表示する画像が形成される。
【００１５】
上記のように、嵩上げ誘電体層２Ａは、画像形成の際に、互いに対向する透明電極ＸａとＹａの間に発生する面放電ｄが、バス電極ＸｂおよびＹｂの側、すなわち、隣接する他の放電セルＣの方向に広がるのを抑制する機能を発揮するものである。
【００１６】
しかしながら、この従来のＰＤＰは、前述したように、嵩上げ誘電体層２Ａが、誘電体層２上にガラスペーストが塗布されて乾燥され、さらに焼成されることによって形成されるために、図５から分かるように、放電セルＣに面する両側のエッジ部分２Ａａが、だれてなだらかな傾斜面になってしまう。
【００１７】
このため、透明電極ＸａとＹａ間の放電ギャップｇで発生した放電が透明電極Ｘａ，Ｙａに沿って列方向（図５の左右方向）に広がり、さらに、嵩上げ誘電体層２Ａのエッジ部分２Ａａのなだらかな傾斜面に沿ってバス電極Ｘｂ，Ｙｂに対向する部分でも放電が発生して、発光に寄与しない放電電流が増加するという問題が生じる。
【００１８】
この発明は、上記のような従来の面放電方式交流型プラズマディスプレイパネルにおける問題点を解決するために為されたものである。
【００１９】
すなわち、この発明は、バス電極上への放電の広がりをより完全に防止して、発光に寄与しない放電電流の増加を防止することが出来るプラズマディスプレイパネルを提供することを第１の目的とする。
【００２０】
さらに、この発明は、バス電極上への放電の広がりをより完全に防止して、発光に寄与しない放電電流の増加を防止することが出来るプラズマディスプレイパネルの製造方法を提供することを第２の目的とする。
【００２１】
【課題を解決するための手段】
第１の発明によるプラズマディスプレイパネルは、上記第１の目的を達成するために、前面基板の背面側に行方向に延び列方向に並設されてそれぞれ表示ラインを形成する複数の行電極対とこの行電極対を被覆する誘電体層とが形成され、各行電極がそれぞれ対ごとに対向する透明電極とこの透明電極の基部側に接続された金属電極を備えているプラズマディスプレイパネルにおいて、前記誘電体層の前面基板と反対側の面の前記金属電極に対向する部分に、誘電体層上に積層されて焼成された低融点ガラス材によって誘電体層から前面基板と反対方向に突出する嵩上げ誘電体層が形成され、この嵩上げ誘電体層の前記透明電極が延びる側の壁面の誘電体層に対する傾斜角度が、４５度以上に設定されているとともに、嵩上げ誘電体層の金属電極に対向する部分から張り出して透明電極に対向する部分の列方向の幅が、１０ないし３０μｍに設定されていることを特徴としている。
【００２２】
この第１の発明によるプラズマディスプレイパネルによれば、行電極の金属電極に対向する位置に形成された嵩上げ誘電体層によって、各行電極対における互いに対向する透明電極間に発生される面放電がそれぞれの金属電極の側、すなわち、隣接する他の放電セルの方向に広がるのが抑制され、さらに、この嵩上げ誘電体層の透明電極が延びる側の壁面の誘電体層に対する傾斜角度が４５度以上の急峻な傾斜面になるように形成されることによって、面放電が、嵩上げ誘電体層の壁面に沿って嵩上げ誘電体層を乗り越えて金属電極に対向する部分にまで広がって発生するのが防止される。
従って、発光に寄与しない放電電流が増加するのが防止される。
さらに、嵩上げ誘電体層と行電極の透明電極とが重なり合う部分の長さが、１０ないし３０μｍという最小限の大きさに止められることにより、面放電による反射光の利用効率を向上させることができる。
【００２３】
第２の発明によるプラズマディスプレイパネルは、前記第１の目的を達成するために、第１の発明の構成に加えて、前記嵩上げ誘電体層の誘電体層から突出する長さが２０ないし１００μmに設定されていることを特徴としている。
【００２４】
この第２の発明によるプラズマディスプレイパネルによれば、嵩上げ誘電体層の誘電体層から突出する長さ（厚さ）を２０ないし１００μmの大きな寸法にすることによって、面放電の金属電極側への広がりをさらに抑制して、放電電流が増加するのをより効果的に防止することが出来る。
【００２７】
第３の発明によるプラズマディスプレイパネルの製造方法は、前記第２の目的を達成するために、前面基板の背面側に列方向に延びる透明電極とその基部側に接続された行方向に延びる金属電極を有する行電極対を形成し、前記前面基板の背面側に行電極対を被覆する誘電体層を形成し、この誘電体層の背面側にガラス粉末を含有した感光性樹脂フィルムを積層し、この感光性樹脂フィルムに所定のパターンを有するマスクを介して露光および現像を行った後、感光性樹脂フィルムを焼成することによって、前記行電極の各金属電極に対向する誘電体層の背面上に、前面基板と反対側に突出するとともに、透明電極が延びる側の壁面の誘電体層に対する傾斜角度が４５度以上に設定され、金属電極に対向する部分から張り出して透明電極に対向する部分の列方向の幅が１０ないし３０μｍに設定された嵩上げ誘電体層を形成することを特徴としている。
【００２８】
この第３の発明によるプラズマディスプレイパネルの製造方法によれば、嵩上げ誘電体層の形成が、感光性樹脂フィルムを用いて行われることによって精度良く行われて、この嵩上げ誘電体層の壁面が、その傾斜角度が４５度以上の急峻な面になるように形成されるとともに、透明電極と重なり合う部分の長さが、１０〜３０μｍという最小限の長さになるように設定される。
【００２９】
従って、この製造方法によって製造されたプラズマディスプレイパネルは、各行電極対における透明電極間において発生する面放電が嵩上げ誘電体層を乗り越えて金属電極に対向する部分にまで広がるのを防止して、放電電流の増加を抑制することが出来るとともに、面放電による反射光の利用効率を向上させることが出来るようになる。
【００３０】
【発明の実施の形態】
以下、この発明の最も好適と思われる実施の形態について、図面を参照しながら詳細に説明を行う。
【００３１】
図１はこの発明の実施形態の一例におけるＰＤＰを列方向に沿って断面した図（従来のＰＤＰの図５に対応）であり、図２はこのＰＤＰの嵩上げ誘電体層の形成部分を拡大して示す図、図３はＰＤＰの製造工程、特に、嵩上げ誘電体層の形成工程を示す工程図である。
【００３２】
この図１において、前面ガラス基板１および誘電体層２，保護層３，背面ガラス基板４，蛍光体層６，行電極対（Ｘ，Ｙ），列電極Ｄ等の構成については、図４〜７の従来のＰＤＰと同様であり、同様の符号が付されている。
このＰＤＰの誘電体層２の背面側の行電極Ｘ，Ｙのバス電極Ｘｂ，Ｙｂに対向する部分に、それぞれ、背面ガラス基板４との間の放電空間Ｓ内に突出する嵩上げ誘電体層２０Ａｘと２０Ａｙが形成されている。
【００３３】
この嵩上げ誘電体層２０Ａｘと２０Ａｙは、それぞれ、行方向に沿ってバス電極Ｘｂ，Ｙｂと平行に延びるように形成され、その横断面が下記に示すような形状を備えている。
【００３４】
すなわち、各嵩上げ誘電体層２０Ａｘ，２０Ａｙは、それぞれその横断面が、図２に示されるように、透明電極Ｘａ，Ｙａが位置する側の側壁面の傾斜角度θが４５度以上になるように、さらに、誘電体層２の背面のバス電極Ｘｂ，Ｙｂに対向する部分から透明電極Ｘａ，Ｙａに対向する部分に張り出している部分のオーバラップ長さｓが１０〜３０μｍとなるように、形成されている。
【００３５】
そして、この嵩上げ誘電体層２０Ａｘ，２０Ａｙの厚さｔ１は、図示されていない隔壁（図４または６，７参照）の高さよりも寸法が小さくなるように設定されており、この例においては、隔壁の高さが１００〜１５０μｍの場合、２０〜１００μｍになるように形成されている。
また、この例においては、行電極対ＸおよびＹの幅ｎは２００〜４００μｍに設定され、誘電体層２の厚さｔ２は、２０〜３０μｍに設定されている。
【００３６】
次に、上記ＰＤＰの製造方法、特に、嵩上げ誘電体層２０Ａｘ，２０Ａｙの形成方法について説明を行う。
【００３７】
先ず、図３（ａ）に示されるように、前面ガラス基板１上に所定のパターンを有する行電極対（Ｘ，Ｙ）が形成される。
この行電極対（Ｘ，Ｙ）の透明電極Ｘａ，Ｙａは、ＩＴＯなどの透明導電膜が前面ガラス基板１に蒸着された後、フォトリソ法によりパターニングされることによって形成され、バス電極Ｘｂ，Ｙｂは、銀ペーストが塗布されて乾燥された後、フォトリソ法によってパターニングされて焼成されることにより形成される。
【００３８】
次に、前面ガラス基板１の行電極対（Ｘ，Ｙ）が形成されている側の面（背面）にガラスペーストが一様に塗布され、乾燥および焼成されることによって、誘電体層２が形成される。
このようにして形成された誘電体層２の前面ガラス基板１と反対側の面（背面）に、ガラス粉末を含有したポジ型の感光性樹脂フィルム２０が積層される。
【００３９】
このポジ型の感光性樹脂フィルム２０は、ベースフィルム上に、軟化点が誘電体層２のガラス材料とほぼ等しいガラス粉末を含有した感光性樹脂ペースト（すなわち、酸化鉛および二酸化珪素を主成分とするガラス粉末とアクリル系モノマまたはオリゴマからなる感光性樹脂とを主成分とする低融点ガラスペースト）が塗布されて乾燥されることにより、製造される。
【００４０】
次に、図３（ｂ）に示されるように、感光性樹脂フィルム２０上にフィルム状のレジストが積層され、このレジストが所定のパターンを有するマスクの使用によって露光および現像されることにより、行電極Ｘ，Ｙのそれぞれのバス電極Ｘｂ，Ｙｂに対向する部分Ｍａが開口されたレジストマスクＭが形成される。
【００４１】
そして、このレジストマスクＭを介して露光および現像が行われることによって感光性樹脂フィルム２０にパターニングが行われた後、レジストマスクＭが剥離される。
【００４２】
このようにして、感光性樹脂フィルム２０へのパターニングが行われた後、図３（ｃ）に示されるように、感光性樹脂フィルム２０がその軟化点近傍の温度（例えば５６０〜５８０℃）で焼成されることにより、誘電体層２の背面側に、嵩上げ誘電体層２０Ａｘと２０Ａｙが、それぞれ形成される。
【００４３】
このように、嵩上げ誘電体層２０Ａｘ，２０Ａｙの形成が感光性樹脂フィルム２０を用いて行われることにより精度良く行われ、これによって、この嵩上げ誘電体層２０Ａｘ，２０Ａｙが、そのそれぞれの側壁面の傾斜角度（図２参照）が４５度以上の急峻な面になるように形成されるとともに、透明電極Ｘａ，Ｙａとのオーバラップ長さｓ（図２参照）も最小限（例えば、１０〜３０μｍ）の長さになるように抑えられる。
【００４４】
以上のように、嵩上げ誘電体層２０Ａｘ，２０Ａｙが、その側壁面の傾斜角度が急峻になるように形成されることによって、透明電極ＸａとＹａ間において発生する面放電が、嵩上げ誘電体層２０Ａｘ，２０Ａｙを乗り越えてバス電極Ｘｂ，Ｙｂに対向する部分にまで広がるのがほぼ完全に防止でき、これによって、放電電流の増加が抑制されるとともに、それぞれ嵩上げ誘電体層２０Ａｘ，２０Ａｙと透明電極Ｘａ，Ｙａが重なり合う部分のオーバラップ長さが最小限に止められることにより、蛍光体層６からの反射光の利用効率が向上する。
【００４５】
また、嵩上げ誘電体層２０Ａｘ，２０Ａｙの厚さを厚くすることによって、面放電のバス電極Ｘｂ，Ｙｂ側への広がりをさらに抑制することが出来る。
【００４６】
なお、上記のような嵩上げ誘電体層２０Ａｘ，２０Ａｙは、図４に示されるような列方向に延びる帯状の隔壁５を備えたＰＤＰの他、列方向に延びる縦壁と行方向に延びる横壁によって放電空間を升目状に区画するタイプのＰＤＰについても、同様に形成することが出来る。
【図面の簡単な説明】
【図１】この発明によるプラズマディスプレイパネルの実施形態における一例を示す側断面図である。
【図２】図１の要部の部分拡大図である。
【図３】この発明によるプラズマディスプレイパネルの製造方法の実施形態における一例を示す工程説明図である。
【図４】従来のプラズマディスプレイパネルの構成を模式的に表す平面図である。
【図５】図４のＶ−Ｖ線における断面図である。
【図６】図４のＷ１−Ｗ１線における断面図である。
【図７】図４のＷ２−Ｗ２線における断面図である。
【符号の説明】
１        …前面ガラス基板（前面基板）
２        …誘電体層
３        …保護層
４        …背面ガラス基板（背面基板）
５        …隔壁
６        …蛍光体層
２０      …感光性樹脂フィルム
２０Ａｘ，２０Ａｙ…嵩上げ誘電体層
Ｘ，Ｙ    …行電極
Ｘａ，Ｙａ…透明電極
Ｘｂ，Ｙｂ…バス電極（金属電極）
Ｄ        …列電極
Ｓ        …放電空間
Ｃ        …放電セル
ｇ        …ギャップ
θ        …傾斜角度
ｓ        …オーバラップ長さ
Ｍ        …レジストマスク
【図１】
0003853126.tif 000002
【図２】
0003853126.tif 000003
【図３】
0003853126.tif 000004
【図４】
0003853126.tif 000005
【図５】
0003853126.tif 000006
【図６】
0003853126.tif 000007
【図７】
0003853126.tif 000008